(57)【要約】【課題】  一の操作で一括して複数の住宅設備機器の動作を制御することができる一括制御機能の利便性を向上した住宅用制御監視システム及び住宅用制御監視装置を提供する。【解決手段】  一部の住宅設備機器の動作状態を示す検索キー情報と複数の住宅設備機器の動作の組み合わせを示す組合せ情報とを対応付けた動作パターン情報を、複数種類の組み合わせに対応して複数記憶する提案情報テーブル２２２と、住宅設備機器の動作情報を取得する監視部２１１と、動作情報と一致する検索キー情報を検索する検索部２１２と、検索された検索キー情報と対応付けて記憶されている組合せ情報を選択肢として選択可能に提示する提案部２１３と、選択指示を受け付けるタッチパネル２３と、選択指示により選択された組合せ情報に基づいて住宅設備機器の動作を制御する機器制御部２１４とを備えた。【選択図】      図１
2006352805.tif 000002
【特許請求の範囲】
【請求項１】
複数の住宅設備機器と、前記複数の住宅設備機器の動作を制御する住宅用制御監視装置とを備えた住宅用制御監視システムであって、
前記住宅用制御監視装置は、
前記複数の住宅設備機器のうち一部の住宅設備機器の動作状態を示す検索キー情報と前記複数の住宅設備機器の動作の組み合わせを示す組合せ情報とを対応付けた動作パターン情報を記憶する動作パターン情報記憶部と、
前記複数の住宅設備機器の動作を示す動作情報を取得する動作情報取得部と、
前記動作パターン情報記憶部に記憶されている検索キー情報のうち、前記動作情報取得部によって取得された動作情報と一致する検索キー情報を検索する検索部と、
前記検索部により検索された検索キー情報と対応付けて記憶されている前記組合せ情報を選択肢として選択可能に提示する提案部と、
前記提案部により提示された前記選択肢のうちいずれかを選択する選択指示を受け付ける選択受付部と、
前記選択受付部で受け付けられた選択指示により選択された前記組合せ情報に基づいて、前記複数の住宅設備機器の動作を制御する機器制御部と
を備えることを特徴とする住宅用制御監視システム。
【請求項２】
前記複数の住宅設備機器は、
前記住宅設備機器それぞれに対する動作指示を受け付ける第１の指示受付部と、
前記第１の指示受付部により受け付けられた動作を示す情報を前記住宅用制御監視装置へ送信する送信部とを備え、
前記動作情報取得部は、前記複数の住宅設備機器における送信部から送信された情報を、前記動作情報として取得すること
を特徴とする請求項１記載の住宅用制御監視システム。
【請求項３】
前記住宅用制御監視装置は、前記複数の住宅設備機器に対する動作指示を受け付ける第２の指示受付部を備え、
前記動作情報取得部は、前記第２の指示受付部により受け付けられた動作指示で示される動作を、前記動作情報として取得すること
を特徴とする請求項１記載の住宅用制御監視システム。
【請求項４】
前記動作パターン情報記憶部は、ユーザの行動を表すメッセージ情報と前記動作パターン情報とを対応付けて記憶し、
前記提案部は、前記組合せ情報の代わりに当該組合せ情報と対応する前記メッセージ情報を選択肢として提示すること
を特徴とする請求項１〜３のいずれかに記載の住宅用制御監視システム。
【請求項５】
前記検索キー情報は、時間帯を示す時間帯情報を含み、
前記検索部は、現在時刻に該当する検索キー情報について、前記検索動作を行うこと
を特徴とする請求項１〜３のいずれかに記載の住宅用制御監視システム。
【請求項６】
前記検索キー情報は、前記複数の住宅設備機器のうち、特定の種類における住宅設備機器が特定の動作状態になっている割合を示す情報を含み、
前記検索部は、前記動作情報取得部により取得された動作情報に基づき特定の種類における住宅設備機器が特定の動作状態になっている割合を算出し、当該算出した特定の種類における住宅設備機器が特定の動作状態になっている割合と一致する検索キー情報を検索すること
を特徴とする請求項１〜５のいずれかに記載の住宅用制御監視システム。
【請求項７】
前記検索キー情報は、前記一部の住宅設備機器が前記動作状態となる順序を示す情報を含み、
前記動作情報は、前記複数の住宅設備機器の動作が変化した順序を示す情報を含むこと
を特徴とする請求項１〜５のいずれかに記載の住宅用制御監視システム。
【請求項８】
前記住宅用制御監視装置は、前記動作情報取得部によって、予め設定された所定の時間内に複数の前記動作情報が取得された場合、当該取得された複数の動作情報を組み合わせることにより前記組合せ情報を生成し、当該取得された複数の動作情報のうち一部の動作情報を前記検索キー情報として前記生成した組合せ情報に対応付けることにより前記動作パターン情報を生成し、当該生成した動作パターン情報を前記動作パターン情報記憶部に記憶させる動作パターン情報生成部をさらに備えること
を特徴とする請求項１〜７のいずれかに記載の住宅用制御監視システム。
【請求項９】
前記動作パターン情報生成部は、前記動作情報取得部によって取得された前記動作情報のうち取得順序の早いものから順に予め設定された個数の前記動作情報を、前記検索キー情報とすること
を特徴とする請求項８記載の住宅用制御監視システム。
【請求項１０】
前記動作パターン情報生成部は、前記動作情報取得部によって予め設定された所定の時間内に取得された前記動作情報の組み合わせにおいて、同一の組み合わせが取得された回数を当該組み合わせの前記動作パターン情報と対応付けて前記動作パターン情報記憶部に記憶させ、
前記提案部は、前記検索部により検索された検索キー情報と対応付けて記憶されている前記動作パターン情報のうち、前記回数が多いものから順に予め設定された個数の前記動作パターン情報を選択肢とすること
を特徴とする請求項８又は９記載の住宅用制御監視システム。
【請求項１１】
前記選択受付部は、さらに、前記提案部により提示された前記選択肢を無効とする無効指示を受け付け、
前記動作パターン情報生成部は、前記選択受付部により前記無効指示が受け付けられた場合に、前記提案部により提示された前記選択肢の動作パターン情報と対応付けて前記動作パターン情報記憶部に記憶されている前記回数を減算又は当該動作パターン情報を削除すること
を特徴とする請求項１０記載の住宅用制御監視システム。
【請求項１２】
前記住宅用制御監視装置が設置された住宅内の人の在不在を検出する人体検出装置と、
ネットワークを介して前記住宅外の通信端末装置との間で通信を行う外部通信部とをさらに備え、
前記人体検出装置によって人の不在が検出された場合、前記提案部は、前記外部通信部により前記ネットワークを介して前記通信端末装置へ前記選択肢を提示し、前記選択受付部は、前記選択指示を前記通信端末装置から前記ネットワークを介して前記外部通信部により受け付けること
を特徴とする請求項１〜１１に記載の住宅用制御監視システム。
【請求項１３】
複数の住宅設備機器の動作を制御する住宅用制御監視装置であって、
前記複数の住宅設備機器のうち一部の住宅設備機器の動作状態を示す検索キー情報と前記複数の住宅設備機器の動作の組み合わせを示す組合せ情報とを対応付けた動作パターン情報を、複数種類の前記組み合わせに対応して複数記憶する動作パターン情報記憶部と、
前記複数の住宅設備機器の動作を示す動作情報を取得する動作情報取得部と、
前記動作パターン情報記憶部に記憶されている検索キー情報のうち、前記動作情報取得部によって取得された動作情報と一致する検索キー情報を検索する検索部と、
前記検索部により検索された検索キー情報と対応付けて記憶されている前記動作パターン情報を選択肢として選択可能に提示する提案部と、
前記提案部により提示された前記選択肢のうちいずれかを選択する選択指示を受け付ける選択受付部と、
前記選択受付部で受け付けられた選択指示により選択された前記動作パターン情報に基づいて、前記複数の住宅設備機器の動作を制御する機器制御部と
を備えることを特徴とする住宅用制御監視装置。
【発明の詳細な説明】
【技術分野】
【０００１】
本発明は、住宅設備機器の動作を制御、又は監視する住宅用制御監視システム及び住宅用制御監視装置に関する。
【背景技術】
【０００２】
従来、空調機器、照明器具、及び防犯装置等の住宅設備機器の動作を制御、監視する住宅用制御監視装置を備えた住宅用制御監視システムにおいて、予めユーザの生活シーン、例えば、外出、就寝、起床といったユーザの行動に関わる生活シーンと対応付けて各住宅設備機器の動作を設定しておき、ユーザは、住宅用制御監視装置を用いて生活シーンを設定するだけで、その生活シーンに応じて住宅設備機器の動作を一括して制御させるようにした一括制御機能を備えたものが知られている（例えば、特許文献１参照。）。
【０００３】
これにより、例えば、ユーザが「起床」という生活シーンの設定操作をすれば、ユーザが個々の照明装置のスイッチを入れたり、空調装置を動作させたりすることなく、一の操作で一括して複数の住宅設備機器に対して生活シーンに応じた動作をさせることができるようになっている。
【特許文献１】特開２００４−２９５４０８号公報
【発明の開示】
【発明が解決しようとする課題】
【０００４】
ところで、上述のような住宅用制御監視システムにおいて、ユーザにとって、住宅用制御監視装置を用いた生活シーンの設定操作は馴染みがなく、個々の住宅設備機器のスイッチを操作する方が直感的にわかりやすいため、一の操作で一括して複数の住宅設備機器の動作を制御することができる便利な機能であるにもかかわらず、生活シーンの設定操作があまり行われないという状況が生じていた。
【０００５】
本発明は、このような問題に鑑みて為された発明であり、一の操作で一括して複数の住宅設備機器の動作を制御することができる一括制御機能の利便性を向上した住宅用制御監視システム及び住宅用制御監視装置を提供することを目的とする。
【課題を解決するための手段】
【０００６】
上述の目的を達成するために、本発明の第１の手段に係る住宅用制御監視システムは、複数の住宅設備機器と、前記複数の住宅設備機器の動作を制御する住宅用制御監視装置とを備えた住宅用制御監視システムであって、前記住宅用制御監視装置は、前記複数の住宅設備機器のうち一部の住宅設備機器の動作状態を示す検索キー情報と前記複数の住宅設備機器の動作の組み合わせを示す組合せ情報とを対応付けた動作パターン情報を記憶する動作パターン情報記憶部と、前記複数の住宅設備機器の動作を示す動作情報を取得する動作情報取得部と、前記動作パターン情報記憶部に記憶されている検索キー情報のうち、前記動作情報取得部によって取得された動作情報と一致する検索キー情報を検索する検索部と、前記検索部により検索された検索キー情報と対応付けて記憶されている前記組合せ情報を選択肢として選択可能に提示する提案部と、前記提案部により提示された前記選択肢のうちいずれかを選択する選択指示を受け付ける選択受付部と、前記選択受付部で受け付けられた選択指示により選択された前記組合せ情報に基づいて、前記複数の住宅設備機器の動作を制御する機器制御部とを備えることを特徴としている。
【０００７】
また、上述の住宅用制御監視システムにおいて、前記複数の住宅設備機器は、前記住宅設備機器それぞれに対する動作指示を受け付ける第１の指示受付部と、前記第１の指示受付部により受け付けられた動作を示す情報を前記住宅用制御監視装置へ送信する送信部とを備え、前記動作情報取得部は、前記複数の住宅設備機器における送信部から送信された情報を、前記動作情報として取得することを特徴としている。
【０００８】
また、上述の住宅用制御監視システムにおいて、前記住宅用制御監視装置は、前記複数の住宅設備機器に対する動作指示を受け付ける第２の指示受付部を備え、前記動作情報取得部は、前記第２の指示受付部により受け付けられた動作指示で示される動作を、前記動作情報として取得することを特徴としている。
【０００９】
また、上述の住宅用制御監視システムにおいて、前記動作パターン情報記憶部は、ユーザの行動を表すメッセージ情報と前記動作パターン情報とを対応付けて記憶し、前記提案部は、前記組合せ情報の代わりに当該組合せ情報と対応する前記メッセージ情報を選択肢として提示することを特徴としている。
【００１０】
また、上述の住宅用制御監視システムにおいて、前記検索キー情報は、時間帯を示す時間帯情報を含み、前記検索部は、現在時刻に該当する検索キー情報について、前記検索動作を行うことを特徴としている。
【００１１】
また、上述の住宅用制御監視システムにおいて、前記検索キー情報は、前記複数の住宅設備機器のうち、特定の種類における住宅設備機器が特定の動作状態になっている割合を示す情報を含み、前記検索部は、前記動作情報取得部により取得された動作情報に基づき特定の種類における住宅設備機器が特定の動作状態になっている割合を算出し、当該算出した特定の種類における住宅設備機器が特定の動作状態になっている割合と一致する検索キー情報を検索することを特徴としている。
【００１２】
また、上述の住宅用制御監視システムにおいて、前記検索キー情報は、前記一部の住宅設備機器が前記動作状態となる順序を示す情報を含み、前記動作情報は、前記複数の住宅設備機器の動作が変化した順序を示す情報を含むことを特徴としている。
【００１３】
また、上述の住宅用制御監視システムにおいて、前記住宅用制御監視装置は、前記動作情報取得部によって、予め設定された所定の時間内に複数の前記動作情報が取得された場合、当該取得された複数の動作情報を組み合わせることにより前記組合せ情報を生成し、当該取得された複数の動作情報のうち一部の動作情報を前記検索キー情報として前記生成した組合せ情報に対応付けることにより前記動作パターン情報を生成し、当該生成した動作パターン情報を前記動作パターン情報記憶部に記憶させる動作パターン情報生成部をさらに備えることを特徴としている。
【００１４】
また、上述の住宅用制御監視システムにおいて、前記動作パターン情報生成部は、前記動作情報取得部によって取得された前記動作情報のうち取得順序の早いものから順に予め設定された個数の前記動作情報を、前記検索キー情報とすることを特徴としている。
【００１５】
また、上述の住宅用制御監視システムにおいて、前記動作パターン情報生成部は、前記動作情報取得部によって予め設定された所定の時間内に取得された前記動作情報の組み合わせにおいて、同一の組み合わせが取得された回数を当該組み合わせの前記動作パターン情報と対応付けて前記動作パターン情報記憶部に記憶させ、前記提案部は、前記検索部により検索された検索キー情報と対応付けて記憶されている前記動作パターン情報のうち、前記回数が多いものから順に予め設定された個数の前記動作パターン情報を選択肢とすることを特徴としている。
【００１６】
また、上述の住宅用制御監視システムにおいて、前記選択受付部は、さらに、前記提案部により提示された前記選択肢を無効とする無効指示を受け付け、前記動作パターン情報生成部は、前記選択受付部により前記無効指示が受け付けられた場合に、前記提案部により提示された前記選択肢の動作パターン情報と対応付けて前記動作パターン情報記憶部に記憶されている前記回数を減算又は当該動作パターン情報を削除することを特徴としている。
【００１７】
また、上述の住宅用制御監視システムにおいて、前記住宅用制御監視装置が設置された住宅内の人の在不在を検出する人体検出装置と、ネットワークを介して前記住宅外の通信端末装置との間で通信を行う外部通信部とをさらに備え、前記人体検出装置によって人の不在が検出された場合、前記提案部は、前記外部通信部により前記ネットワークを介して前記通信端末装置へ前記選択肢を提示し、前記選択受付部は、前記選択指示を前記通信端末装置から前記ネットワークを介して前記外部通信部により受け付けることを特徴としている。
【００１８】
そして、本発明の第２の手段に係る住宅用制御監視装置は、複数の住宅設備機器の動作を制御する住宅用制御監視装置であって、前記複数の住宅設備機器のうち一部の住宅設備機器の動作状態を示す検索キー情報と前記複数の住宅設備機器の動作の組み合わせを示す組合せ情報とを対応付けた動作パターン情報を、複数種類の前記組み合わせに対応して複数記憶する動作パターン情報記憶部と、前記複数の住宅設備機器の動作を示す動作情報を取得する動作情報取得部と、前記動作パターン情報記憶部に記憶されている検索キー情報のうち、前記動作情報取得部によって取得された動作情報と一致する検索キー情報を検索する検索部と、前記検索部により検索された検索キー情報と対応付けて記憶されている前記動作パターン情報を選択肢として選択可能に提示する提案部と、前記提案部により提示された前記選択肢のうちいずれかを選択する選択指示を受け付ける選択受付部と、前記選択受付部で受け付けられた選択指示により選択された前記動作パターン情報に基づいて、前記複数の住宅設備機器の動作を制御する機器制御部とを備えることを特徴としている。
【発明の効果】
【００１９】
このような構成の住宅用制御監視システム及び住宅用制御監視装置は、住宅用制御監視装置における動作パターン情報記憶部によって、複数の住宅設備機器のうち一部の住宅設備機器の動作状態を示す検索キー情報と複数の住宅設備機器の動作の組み合わせを示す組合せ情報とを対応付けた動作パターン情報が記憶される。また、動作情報取得部によって、複数の住宅設備機器の動作を示す動作情報が取得される。そして、検索部によって、動作パターン情報記憶部に記憶されている検索キー情報のうち、動作情報取得部によって取得された動作情報と一致する検索キー情報が検索され、提案部によって、検索部により検索された検索キー情報と対応付けて動作パターン情報記憶部に記憶されている組合せ情報が選択肢として選択可能に提示される。さらに、選択受付部によって、提案部により提示された選択肢のうちいずれかを選択する選択指示が受け付けられ、選択受付部で受け付けられた選択指示により選択された組合せ情報に基づいて、機器制御部により複数の住宅設備機器の動作が制御される。これにより、ユーザが複数の住宅設備機器のうち一部の住宅設備機器を操作して所定の動作状態にさせると、その動作状態を示す動作情報と一致する検索キー情報が検索され、検索された検索キー情報と対応する組合せ情報が選択肢として選択可能に提示されるので、ユーザは提示された組合せ情報を選択するだけで当該組合せ情報で示された複数の住宅設備機器の動作を一の操作で一括して行わせることができ、一括制御機能の利便性を向上させることができる。
【発明を実施するための最良の形態】
【００２０】
以下、本発明に係る実施形態を図面に基づいて説明する。なお、各図において同一の符号を付した構成は、同一の構成であることを示し、その説明を省略する。
【００２１】
（第１実施形態）
図１は、本発明の第１の実施形態に係る住宅用制御監視システム及び住宅用制御監視装置の構成の一例を示すブロック図である。図１に示す住宅用制御監視システム１は、住宅用制御監視装置２と、住宅設備機器の一例である照明３１〜３６、電気錠４１〜４５、エアコン５１〜５４、採光窓６１〜６３、シャッター７１，７２、及び人感センサ８１等の防犯設備機器とが通信線９を介して接続されて構成されている。
【００２２】
住宅用制御監視装置２は、演算処理部２１、記憶部２２（動作パターン情報記憶部）、タッチパネル２３（選択受付部、第２の指示受付部）、時計部２４、機器通信部２５、外部通信部２６、及びタイマ２７を備えている。タッチパネル２３は、例えば液晶表示装置と感圧センサ等から構成されたいわゆるタッチパネルで、種々の操作画面を表示するとともに、ユーザが種々の操作指令を入力するための種々の操作ボタン等を表示する。時計部２４は、現在時刻を計時する時計で、例えばＲＴＣ（Real Time Clock）を用いて構成されている。
【００２３】
機器通信部２５は、照明等の住宅設備機器と通信線９を介して通信を行う通信インターフェイス回路で、演算処理部２１からのデータを住宅設備機器が受信可能な通信信号に変換して出力すると共に住宅設備機器からの通信信号を受信して演算処理部２１が処理可能な形式のデータに変換する。なお、通信線９として例えば電力線を用いて、機器通信部２５と住宅設備機器との間で電力線搬送通信によって通信を行うようにしてもよい。
【００２４】
外部通信部２６は、外部のネットワーク、例えばインターネット１０を介してインターネット１０に接続された通信端末装置、例えば携帯電話機１１と通信を行う通信インターフェイス回路で、演算処理部２１からのデータを携帯電話機１１が受信可能な通信信号に変換して出力すると共に携帯電話機１１からの通信信号を受信して演算処理部２１が処理可能な形式のデータに変換する。また、外部通信部２６は、携帯電話機１１により受け付けられた選択指示を、通信によって受け付ける選択受付部の一例としても機能する。ネットワークは、インターネットに限られず、例えば電話回線等の公衆回線であってもよい。
【００２５】
記憶部２２は、例えば、ＲＡＭ（Random Access Memory）等の揮発性の記憶素子や、書換可能なＥＥＰＲＯＭ（Electrically Erasable and Programmable Read Only Memory）等の不揮発性の記憶素子を備えて構成され、各住宅設備機器の動作状態を示す機器状態情報２２１と、ユーザに対する提案内容を示す提案情報テーブル２２２と、機器状態情報２２１の内容を住宅設備機器の種類毎に集約して示した一括管理情報２２３とを記憶する。
【００２６】
演算処理部２１は、例えば、ＣＰＵ（Central Processing Unit）、ＲＡＭ等の揮発性の記憶素子、及びＲＯＭ等の不揮発性の記憶素子、及びその周辺回路等を備えて構成され、所定の制御プログラムを実行することにより監視部２１１（動作情報取得部）、検索部２１２、提案部２１３、機器制御部２１４、及びＷｅｂサーバ部２１５として機能する。
【００２７】
Ｗｅｂサーバ部２１５には、ＵＲＬ（Uniform Resource  Locator）が付与され、Ｗｅｂブラウザからのリクエストに応じて記憶部２２に記憶されているＨＴＭＬ（HyperText Markup Language）ファイルや画像等のコンテンツを送信する。そして、携帯電話機１１から例えばＷｅｂブラウザを用いてインターネット１０と外部通信部２６とを介してＷｅｂサーバ部２１５へアクセスすることが可能とされている。
【００２８】
照明３１〜３６、電気錠４１〜４５、エアコン５１〜５４、採光窓６１〜６３、及びシャッター７１，７２は、これら各機器の動作指示を受け付ける図略の操作スイッチ（第１の指示受付部）と、通信線９を介して住宅用制御監視装置２と通信を行う通信インターフェイス回路（送信部）とをそれぞれ備えている。
【００２９】
次に、上述のように構成された住宅用制御監視装置２及びこれを用いた住宅用制御監視システム１の動作について説明する。図２、図３は、住宅用制御監視装置２の動作の一例を示すフローチャートである。まず、ユーザが、住宅設備機器のいずれか、例えば照明３１の図略の操作スイッチを操作して照明３１をオフすると、照明３１からこの操作スイッチにより受け付けられた動作を示す情報、すなわち照明３１の動作状態がオフになったことを示す情報が通信線９を介して住宅用制御監視装置２へ送信される。
【００３０】
そして、機器通信部２５によって、照明３１の動作状態がオフになったことを示す情報が受信され（ステップＳ１でＹＥＳ）、監視部２１１によって、記憶部２２に記憶されている機器状態情報２２１の内容が更新される（ステップＳ２）。
【００３１】
図４（ａ）は、機器状態情報２２１の一例を示す説明図である。図４（ａ）に示すように、機器状態情報２２１として、照明３１〜３６、電気錠４１〜４５、エアコン５１〜５４、採光窓６１〜６３、及びシャッター７１，７２の動作状態がそれぞれ記憶部２２に記憶されている。そして、ステップＳ２において、監視部２１１によって、機器状態情報２２１における照明３１の動作状態がオフとして記憶される。
【００３２】
また、監視部２１１は、機器状態情報２２１の内容を更新すると共に、機器状態情報２２１に基づいて例えば図４（ｂ）に示す一括管理情報２２３を生成し、記憶部２２に記憶させる。一括管理情報２２３は、機器状態情報２２１の内容を住宅設備機器の種類毎に集約して示した情報で、例えば照明については、機器状態情報２２１において照明３１〜３５がオフ、照明３６がオンしているので、全ての照明の動作が同一ではないので「０：不一致」とされている。また、例えばエアコンについては、エアコン５１〜５４が全てオンしているので、「１：全オン」とされている。
【００３３】
なお、監視部２１１は、一括管理情報２２３として、「全オン」（１００％オンしている）といった情報に限らず、複数の住宅設備機器のうち特定の種類における住宅設備機器が特定の動作状態になっている割合、例えば照明３１〜３６の６台の照明のうち、オフになっている照明の割合を記憶するようにしてもよい。
【００３４】
また、住宅設備機器が備える図略の操作スイッチが操作されなくても（ステップＳ１でＮＯ）、ユーザによって、住宅用制御監視装置２におけるタッチパネル２３に表示されている操作ボタンが押下され、タッチパネル２３によって住宅設備機器、例えば照明３１をオフさせる旨の操作指示が受け付けられた場合（ステップＳ３でＹＥＳ）、機器制御部２１４からの制御信号に応じて機器通信部２５から通信線９を介して照明３１へ、オフ（消灯）を指示する指示命令が送信され、照明３１がオフされ（ステップＳ４）た後、ステップＳ２へ移行する。
【００３５】
次に、ステップＳ５において、監視部２１１からの制御信号に応じて機器通信部２５から通信線９を介して機器状態情報２２１が更新された照明３１へ、動作状態の通知を要求する動作状態要求が送信され、照明３１から照明３１の実際の動作状態を示す情報が、通信線９を介して機器通信部２５へ送信され、監視部２１１によって取得される（ステップＳ５）。
【００３６】
そして、監視部２１１によって、機器状態情報２２１に記憶されている照明３１の動作状態と、照明３１から送信されてきた実際の動作状態とが一致しているか否かが確認され、一致していなければ（ステップＳ６でＮＯ）再びステップＳ１へ移行する一方、一致していれば（ステップＳ６でＹＥＳ）、検索部２１２によって、時計部２４の現在時刻が取得される（ステップＳ７）
次に、検索部２１２によって、時計部２４の現在時刻が７時から１０時の間に入っているか否かが確認され、入っていれば（ステップＳ８でＹＥＳ）現在は朝の時間帯であると判断されて朝の時間帯に応じた提案情報が、記憶部２２に記憶されている提案情報テーブル２２２において検索される（ステップＳ９）。
【００３７】
図５は、提案情報テーブル２２２の一例を示す説明図である。図５に示す提案情報テーブル２２２は、検索キー情報２２５と、提案番号２２６と、メッセージ情報２２７と、制御内容２２８とを含んでおり、一行分の情報が、複数の住宅設備機器のうち一部の住宅設備機器の動作状態を示す検索キー情報２２５と複数の住宅設備機器の動作の組み合わせを示す制御内容２２８（組合せ情報）とユーザの行動を表すメッセージ情報２２７とを対応付けた動作パターン情報となっており、各動作パターン情報には、提案番号２２６が付与されている。以下、提案番号２２６で特定されるメッセージ情報２２７と制御内容２２８とを提案情報と称する。
【００３８】
例えば、提案１の動作パターン情報における検索キー情報２２５は、「照明」が「２：全オフ」（照明３１〜３６がすべてオフ状態になっている）という動作状態と、「朝」と「昼」の時間帯とが対応付けられて構成されている。そして、提案１の動作パターン情報におけるメッセージ情報２２７は、「お出かけですか？」というユーザに判りやすいメッセージにされており、このメッセージに対応してユーザが外出する場合に適した制御内容２２８、例えば「電気錠全閉」（電気錠４１〜４５を全て閉める）、エアコン全オフ（エアコン５１〜５４を全て停止させる）、採光窓全閉（採光窓６１〜６３を全て閉める）、及びシャッター全閉（シャッター７１，７２を全て閉める）という動作の組み合わせが制御内容２２８とされている。
【００３９】
そして、ステップＳ９において、検索部２１２によって、ユーザが操作した「照明」について記憶部２２に記憶されている一括管理情報２２３が参照され、例えば一括管理情報２２３として「照明」が「２：全オフ」となっていた場合、さらに提案情報テーブル２２２において検索キー情報２２５が「照明」「２：全オフ」「朝」となっている提案情報が検索され、例えばこの条件に該当する提案１，３，５がユーザに提示する選択肢として取得される（ステップＳ１６）。
【００４０】
なお、検索キー情報２２５には、「照明」「２：全オフ」（照明の１００％がオフしている）のように、特定の種類における住宅設備機器が特定の動作状態になっている割合が１００％である例に限られず、例えば「照明」「８０％以上オフ」（照明の８０％以上がオフしている）のように、特定の種類における住宅設備機器が特定の動作状態になっている割合を、適宜設定してもよい。そして、監視部２１１は、一括管理情報２２３として機器状態情報２２１に基づき特定の種類における住宅設備機器が特定の動作状態になっている割合を算出して記憶させておき、検索部２１２によって、割合を含めて検索キー情報２２５が検索されるようにしてもよい。また、住宅設備機器の種類に応じて、特定の動作状態になっている割合の設定を異なる割合にしてもよい。
【００４１】
これにより、複数の住宅設備機器における動作状態をより柔軟に検索キー情報２２５として設定することができ、その動作状態に応じた提案情報がユーザに提示する選択肢として取得されるので、より的確な選択肢をユーザに提示することが可能となる。
【００４２】
一方、ステップＳ８において、時計部２４の現在時刻が７時から１０時の間に入っていなければ（ステップＳ８でＮＯ）、検索部２１２によって時計部２４の現在時刻が１０時から１７時の間に入っているか否かが確認され（ステップＳ１０）、入っていれば（ステップＳ１０でＹＥＳ）現在は昼の時間帯であると判断されて上述のステップＳ９と同様の動作により昼の時間帯に応じた提案情報が、記憶部２２に記憶されている提案情報テーブル２２２において検索され（ステップＳ１１）、該当する提案情報がユーザに提示する選択肢として取得される（ステップＳ１６）。
【００４３】
そして、ステップＳ１０において、時計部２４の現在時刻が１０時から１７時の間に入っていなければ（ステップＳ１０でＮＯ）、検索部２１２によって時計部２４の現在時刻が１７時から２２時の間に入っているか否かが確認され（ステップＳ１２）、入っていれば（ステップＳ１２でＹＥＳ）現在は夕方の時間帯であると判断されて上述のステップＳ９と同様の動作により夕方の時間帯に応じた提案情報が、記憶部２２に記憶されている提案情報テーブル２２２において検索され（ステップＳ１３）、該当する提案情報がユーザに提示する選択肢として取得される（ステップＳ１６）。
【００４４】
さらに、ステップＳ１２において、時計部２４の現在時刻が１７時から２２時の間に入っていなければ（ステップＳ１２でＮＯ）、検索部２１２によって時計部２４の現在時刻が２２時から１時の間に入っているか否かが確認され（ステップＳ１４）、入っていれば（ステップＳ１４でＹＥＳ）現在は深夜の時間帯であると判断されて上述のステップＳ９と同様の動作により深夜の時間帯に応じた提案情報が、記憶部２２に記憶されている提案情報テーブル２２２において検索され（ステップＳ１５）、該当する提案情報がユーザに提示する選択肢として取得される（ステップＳ１６）。
【００４５】
そして、ステップＳ１４において時計部２４の現在時刻が２２時から１時の間に入っていなければ（ステップＳ１４でＮＯ）、以降の提案動作を行わすに再びステップＳ１へ移行する。
【００４６】
次に、図３を参照して、提案部２１３によって、検索部２１２で取得された提案情報が選択肢として選択可能にタッチパネル２３で表示される（ステップＳ１７）。図６は、タッチパネル２３で表示される提案情報の選択画面の一例を示す画面図である。例えば、検索部２１２で取得された提案情報が提案１，３，５であれば、提案１のメッセージ情報２２７である「お出かけですか？」というメッセージと、提案３のメッセージ情報２２７である「車でお出かけですか？」というメッセージと、提案５のメッセージ情報２２７である「省エネですか？」というメッセージとがボタン２３１，２３２，２３３として選択可能にそれぞれタッチパネル２３で表示される。
【００４７】
そして、タッチパネル２３によって、例えばボタン２３１が押されたことが検出されると（ステップＳ１８でＹＥＳ）、提案部２１３によってボタン２３１に対応する制御内容２２８、例えば「電気錠全閉」、「エアコン全オフ」、「採光窓全閉」、「シャッター全閉」という制御内容が取得され、機器制御部２１４からの制御信号に応じて機器通信部２５から通信線９を介して、電気錠４１〜４５へ錠を閉める旨の指示命令が送信され、エアコン５１〜５４へ運転を停止する旨の指示命令が送信され、採光窓６１〜６３へ窓を閉じる旨の指示命令が送信され、シャッター７１，７２へシャッターを閉じる旨の指示命令が送信される（ステップＳ２３）。
【００４８】
このように、ユーザによって判りやすいメッセージによって、制御内容２２８が選択可能にタッチパネル２３で表示され、選択したメッセージに対応して複数の住宅設備機器の動作が制御されるので、住宅用制御監視システム１の利便性が向上される。
【００４９】
一方、タッチパネル２３のボタンが押されないまま（ステップＳ１８でＮＯ）所定時間、例えば１０分経過したことがタイマ２７によって検出されると（ステップＳ１９でＹＥＳ）、提案部２１３によって、住宅用制御監視装置２が設置された住宅内には人がいないと判断され、外部通信部２６からインターネット１０を介してユーザの携帯電話機１１へ、提案情報の選択を促すメールが送信される（ステップＳ２０）。このメールには、Ｗｅｂサーバ部２１５のＵＲＬが記載されており、ユーザが携帯電話機１１を用いてこのＵＲＬをアクセスすると、Ｗｅｂサーバ部２１５によって、提案情報が選択肢として選択可能に携帯電話機１１で表示される。
【００５０】
図７は、携帯電話機１１に表示される選択画面の一例を示す画面図である。図７に示すように、携帯電話機１１によって、提案１のメッセージ情報２２７である「お出かけですか？」というメッセージと、提案３のメッセージ情報２２７である「車でお出かけですか？」というメッセージと、提案５のメッセージ情報２２７である「省エネですか？」というメッセージとが選択可能に表示画面に表示される。
【００５１】
そして、ユーザが携帯電話機１１のキースイッチを操作してメッセージを選択、例えば提案１のメッセージを選択すると、Ｗｅｂサーバ部２１５によって提案１が選択されたことが受け付けられ（ステップＳ２１でＹＥＳ）、提案部２１３によって提案１に対応する制御内容２２８、例えば「電気錠全閉」、「エアコン全オフ」、「採光窓全閉」、「シャッター全閉」という制御内容が取得され、機器制御部２１４からの制御信号に応じて機器通信部２５から通信線９を介して、電気錠４１〜４５へ錠を閉める旨の指示命令が送信され、エアコン５１〜５４へ運転を停止する旨の指示命令が送信され、採光窓６１〜６３へ窓を閉じる旨の指示命令が送信され、シャッター７１，７２へシャッターを閉じる旨の指示命令が送信される（ステップＳ２３）。
【００５２】
一方、携帯電話機１１の表示画面に表示されたメッセージが選択されないまま（ステップＳ２１でＮＯ）所定時間、例えば１０分経過したことがタイマ２７によって検出されると（ステップＳ２２でＹＥＳ）、住宅設備機器へ指示命令を送信することなく再びステップＳ１へ移行する。
【００５３】
以上、ステップＳ１〜Ｓ２２の処理により、ユーザは馴染みのない生活シーンの設定操作を行うことなく、個々の住宅設備機器を操作することによりその住宅設備機器の動作状況やその操作を行った時間帯に応じた提案がされるので、ユーザは生活シーンを意識することなく住宅設備機器の操作を行った後、住宅用制御監視装置２によってされた提案を選択するだけで、他の複数の住宅設備機器の動作を一括して制御することができ、住宅用制御監視システム１における一括制御機能の利便性を向上することができる。
【００５４】
なお、ステップＳ１８，Ｓ１９において、１０分間選択指示が受け付けられなかった場合に住宅用制御監視装置２が設置された住宅内には人がいないと判断され、ステップＳ２０へ移行して、ユーザの携帯電話機１１へ提案情報の選択を促すメールが送信される例を示したが、例えば、住宅用制御監視装置２が設置された住宅内の人の在不在を検出する人感センサ８１によって、人の不在が検出された場合にステップＳ２０へ移行するようにしてもよい。
【００５５】
（第２実施形態）
次に、本発明の第２の実施形態に係る住宅用制御監視装置及びこれを用いた住宅用制御監視システムについて説明する。図８は、本発明の第２の実施形態に係る住宅用制御監視装置２ａ及びこれを用いた住宅用制御監視システム１ａの構成の一例を示すブロック図である。図８に示す住宅用制御監視システム１ａは、図１に示す住宅用制御監視システム１とは、住宅用制御監視装置２ａの構成が異なる。図８に示す住宅用制御監視装置２ａは、図１に示す住宅用制御監視装置２とは、演算処理部２１ａが提案情報生成部２１６（動作パターン情報生成部）をさらに備える点で異なる。また、検索部２１２ａと提案部２１３ａとの動作が異なる。さらに、提案情報テーブル２２２ａが、提案情報生成部２１６によって生成される点で異なる。
【００５６】
その他の構成及び動作は図１に示す住宅用制御監視装置２及び住宅用制御監視システム１と同様であるのでその説明を省略し、以下本実施形態の動作について説明する。図９、図１０、図１１は、図８に示す住宅用制御監視装置２ａの動作の一例を示すフローチャートである。まず、ステップＳ１〜Ｓ６は、図２に示すステップＳ１〜Ｓ６と同様であるのでその説明を省略する。次に、提案情報テーブル２２２ａを生成するべく提案情報生成部２１６によって、ユーザの操作履歴の取得処理が開始される（ステップＳ３０）。まず、タイマ２７が既に起動されて動作中であるか否かが確認され（ステップＳ３１）、動作中であれば（ステップＳ３１でＹＥＳ）操作履歴の記憶処理を行うべくステップＳ３３へ移行する一方、動作中でなければ（ステップＳ３１でＮＯ）タイマ２７による所定時間、例えば１０分間の計時が開始される（ステップＳ３２）。そして、その間に機器通信部２５によって受信された住宅設備機器の動作状態の変化を示す情報、及びタッチパネル２３により受け付けられた住宅設備機器への操作指示が、操作履歴として、記憶部２２におけるＲＡＭに確保された一時的な作業用記憶領域であるバッファに記憶される（ステップＳ３３）。
【００５７】
そして、タイマ２７がタイムアウト（１０分経過）しているか、又はバッファに記憶されている操作履歴が３つでなければ（ステップＳ３４でＮＯ）、さらにタイマ２７がタイムアウト（１０分経過）していないか確認され（ステップＳ３５）、タイムアウトしていない場合には（ステップＳ３５でＮＯ）、操作履歴として取得された機器制御内容が機器制御部２１４によって該当する住宅設備機器へ送信され（ステップＳ３６）再びステップＳ１へ移行する。
【００５８】
また、ステップＳ３５においてタイマ２７がタイムアウト（１０分経過）している場合、すなわち１０分以内にバッファに記憶されている操作履歴が３つに満たない場合（ステップＳ３５でＹＥＳ）、操作履歴として取得された機器制御内容が機器制御部２１４によって該当する住宅設備機器へ送信され（ステップＳ３７）、バッファに記憶されている操作履歴が消去（ステップＳ３８）された後、再びステップＳ１へ移行する。
【００５９】
そして、ステップＳ３４において、タイマ２７がタイムアウト（１０分経過）しておらず、かつバッファに記憶されている操作履歴が３つである場合、すなわち１０分以内にバッファに記憶された操作履歴が３つに達した場合（ステップＳ３４でＹＥＳ）、提案情報生成部２１６によって、ユーザは連続して複数の住宅設備機器を操作しようとしていると判断され、記憶部２２に記憶されている提案情報テーブル２２２ａに、その３つの操作履歴に対応する提案情報が記憶されているか否かが確認される（ステップＳ３９）。
【００６０】
そして、該当する提案情報がなければ（ステップＳ３９でＮＯ）、新たに提案情報を生成するべくステップＳ４０へ移行する。図１１は、ステップＳ４０における提案情報テーブル２２２ａの作成動作の一例を示すフローチャートである。まず、ステップＳ３２ａにおいて、タイマ２７の設定値が例えば１０分にされている。以下、ステップＳ１〜Ｓ６及びステップＳ３０，Ｓ３３は、図９に示すフローチャートと同様であるのでその説明を省略する。
【００６１】
次に、ステップＳ４０１において、タイマ２７がタイムアウト（１０分経過）しているか、又はバッファに記憶されている操作履歴が２つでなければ（ステップＳ４０１でＮＯ）、さらにタイマ２７がタイムアウト（１０分経過）していないか確認され（ステップＳ４０２）、タイムアウトしていない場合には（ステップＳ４０２でＮＯ）、操作履歴として取得された機器制御内容が機器制御部２１４によって該当する住宅設備機器へ送信され（ステップＳ４０３）再び図１１におけるステップＳ１へ移行する。
【００６２】
また、ステップＳ４０１においてタイマ２７がタイムアウト（１０分経過）している場合、すなわち１０分以内にバッファに記憶されている操作履歴が２つに満たない場合（ステップＳ４０２でＹＥＳ）、操作履歴として取得された機器制御内容が機器制御部２１４によって該当する住宅設備機器へ送信され（ステップＳ４０４）、バッファに記憶されている操作履歴が消去（ステップＳ４０５）された後、提案情報テーブル作成処理を終了し、再び図９におけるステップＳ１へ移行する。
【００６３】
一方、ステップＳ４０１において、タイマ２７がタイムアウト（１０分経過）しておらず、かつバッファに記憶されている操作履歴が２つである場合、すなわち１０分以内にバッファに記憶された操作履歴が２つに達してステップＳ３４において得られた操作履歴と合わせて５つの操作履歴が取得された場合（ステップＳ４０１でＹＥＳ）、提案情報生成部２１６によって、当該５つの操作履歴が提案情報テーブル２２２ａに記憶された後（ステップＳ４０７）、提案情報テーブル作成処理を終了し、再び図９におけるステップＳ１へ移行する。
【００６４】
図１２は、提案情報テーブル２２２ａの一例を示す表形式の説明図である。図１２に示す提案情報テーブル２２２ａは、一つの提案番号２２６に対応して五つの操作履歴が、取得された順番を示す順序番号２２９及び履歴カウンタ値２３０と対応付けられ、提案情報として記憶されている。この場合、提案情報のうち取得順序の早いものから順に予め設定された個数、例えば３つの操作履歴、すなわち順序番号が１〜３の操作履歴で示される住宅設備機器の動作が検索キー情報２２５として用いられ、提案情報のうち残りの順序番号が４，５の操作履歴で示される住宅設備機器の動作が制御内容２２８として用いられるようになっている。
【００６５】
次に、図９に戻って再びステップＳ１〜Ｓ４０の処理が繰り返され、ステップＳ３４において、タイマ２７がタイムアウト（１０分経過）しておらず、かつバッファに記憶されている操作履歴が３つである場合、すなわち１０分以内にバッファに記憶された操作履歴が３つに達した場合（ステップＳ３４でＹＥＳ）、提案情報生成部２１６によって、ユーザは連続して複数の住宅設備機器を操作しようとしていると判断され、記憶部２２に記憶されている提案情報テーブル２２２ａに、その３つの操作履歴に対応する提案情報が記憶されているか否かが確認される（ステップＳ３９）。
【００６６】
例えば、ユーザが電気錠４２の施錠、電気錠４３の施錠、照明３５のオン（点灯）操作をこの順に行った場合、バッファには操作履歴が「電気錠４２  施錠」「電気錠４３  施錠」「照明３５  オン」としてこの順に記憶される。そして、提案情報テーブル２２２ａに記憶されている順序番号１〜３で示される住宅設備機器の動作が検索キー情報２２５として用いられるので、提案情報テーブル２２２ａにおける提案１の検索キー情報２２５は、バッファに記憶されている操作履歴「電気錠４２  施錠」「電気錠４３  施錠」「照明３５  オン」と順序も含めて一致するので（ステップＳ３９でＹＥＳ）、検索部２１２ａによって、操作履歴「電気錠４２  施錠」「電気錠４３  施錠」「照明３５  オン」と順序も含めて一致する検索キー情報２２５が検索され（ステップＳ４１）、該当する提案１と提案３との提案情報がユーザに提示する選択肢として取得される（ステップＳ４２）。
【００６７】
なお、ステップＳ４２において、該当する提案情報が、予め設定された所定数、例えば５つを超える場合には、該当する提案情報のうち履歴カウンタ値２３０の値が大きいものから５つが、ユーザに提示する選択肢として取得される。これにより、ユーザが選択する可能性の高い選択肢を提示することができると共に、選択肢の数が多くなりすぎてユーザによる選択操作が煩雑になることが低減される。
【００６８】
次に、提案部２１３ａによって、提案１及び提案３の提案情報における制御内容２２８（組み合せ情報）が選択肢として選択可能にタッチパネル２３で表示される（ステップＳ４３）。図１３は、タッチパネル２３で表示される提案情報の選択画面の一例を示す画面図である。図１３に示すように、例えば、提案１の制御内容２２８がボタン２３４として、提案３の制御内容２２８がボタン２３５として選択可能にそれぞれタッチパネル２３で表示される。さらに、提案部２１３ａによって、タッチパネル２３に表示された選択肢を無効にする無効ボタン２３６がタッチパネル２３に表示されている。
【００６９】
そして、タッチパネル２３によって、例えば無効ボタン２３６が押されたことが検出されると（ステップＳ４４でＹＥＳ）、提案情報生成部２１６によって提案情報テーブル２２２ａにおける提案１と提案３との履歴カウンタ値２３０が、一つずつ減算され（ステップＳ４５）た後、再び図９のステップＳ１へ移行する。これにより、ユーザが無効ボタンを押すことによって、無効を指示した提案情報は、履歴カウンタ値２３０が減算されてユーザに提示する選択肢として取得されにくくなるので、より的確な選択肢をユーザに提示することが可能となる。
【００７０】
また、タッチパネル２３に表示されたボタン２３４，２３５、及び無効ボタン２３６のいずれもが押されないまま（ステップＳ４６でＮＯ）所定時間、例えば１０秒経過したことがタイマ２７によって検出されると（ステップＳ４７でＹＥＳ）、提案情報生成部２１６によって、タッチパネル２３に表示された選択肢が適当ではなかったと判断され、提案情報テーブル２２２ａにおける提案１と提案３との履歴カウンタ値２３０が一つずつ減算された後（ステップＳ４５）、再び図９のステップＳ１へ移行する。これにより、ユーザが選択しなかった提案情報は、履歴カウンタ値２３０が減算されてユーザに提示する選択肢として取得されにくくなるので、より的確な選択肢をユーザに提示することが可能となる。
【００７１】
そして、タッチパネル２３によって、例えばボタン２３４が押されたことが検出されると（ステップＳ４６でＹＥＳ）、提案情報生成部２１６によって提案情報テーブル２２２ａにおけるボタン２３４に対応する提案１の履歴カウンタ値２３０が、一つ加算される（ステップＳ４８）。これにより、ユーザにより選択された提案情報は、履歴カウンタ値２３０が加算されてユーザに提示する選択肢として取得され易くなるので、より的確な選択肢をユーザに提示することが可能となる。
【００７２】
次に、提案部２１３ａによってボタン２３４に対応する制御内容２２８、例えば「シャッター７１  開」、「照明３６  オフ」という制御内容が取得され、機器制御部２１４からの制御信号に応じて機器通信部２５から通信線９を介して、シャッター７１へシャッターを開ける旨の指示命令が送信され、照明３６へ照明をオフする（消灯する）旨の指示命令が送信され（ステップＳ４９）た後、再び図９のステップＳ１へ移行する。
【００７３】
これにより、ユーザが住宅設備機器に対する複数の操作、例えば５つの操作を連続して行う場合、予め設定された所定数の操作、例えば３つの操作を行った時点で、住宅用制御監視装置２によって残りの２つの操作（住宅設備機器の制御内容）が選択可能に提示されるので、ユーザは住宅用制御監視装置２により提示された選択肢を選択するだけで、残りの複数の操作を一括して行うことができ、一の操作で一括して複数の住宅設備機器の動作を制御することができる一括制御機能の利便性を向上することができる。
【００７４】
また、ユーザは、生活シーン毎の各住宅設備機器の動作を、予め提案情報テーブル２２２として設定しておく必要がなく、ユーザが住宅設備機器を操作する過程で自動的に提案情報テーブル２２２ａが生成されるので、ユーザが提案情報テーブル２２２を設定する手間を省いて住宅用制御監視システム１ａの利便性を向上させることができる。
【００７５】
なお、提案情報テーブル２２２ａにおいて、５つの操作履歴（住宅設備機器の動作状態を示す情報）によって一つの提案情報が構成され、５つの操作履歴のうち３つを検索キー情報２２５として用いる例を示したが、一つの提案情報を構成する操作履歴の数は５つに限られず、３つ、４つ、あるいは６つ以上であってもよい。また、検索キー情報２２５は、一つの提案情報を構成する操作履歴のうち一部であればよく、一つの提案情報を構成する操作履歴の数に応じて、１つ、２つ、あるいは４つ以上であってもよい。この場合、一つの提案情報において、検索キー情報２２５を除く操作履歴が制御内容２２８として用いられる。
【００７６】
また、例えば、ステップＳ４６でユーザにより提案情報が選択された後、例えば提案情報テーブル２２１におけるメッセージ情報２２７に示すようなユーザの生活シーンを表す複数のメッセージを選択可能にタッチパネル２３に表示し、選択されたメッセージを当該提案情報と関連付けることにより、次回からユーザに対して提案情報を提示する代わりに当該提案情報と関連付けられたメッセージをユーザに選択可能に提示するようにしてもよい。これにより、ユーザによって判りやすいメッセージが提示され、利便性が向上する。
【００７７】
また、ステップＳ４６において、第１の実施形態と同様に、所定時間、例えば１０分間選択指示が受け付けられなかった場合や、人感センサ８１によって住宅用制御監視装置２が設置された住宅内における人の不在が検出された場合に、図３に示すステップＳ２０〜Ｓ２２と同様に、ユーザの携帯電話機１１へ提案情報の選択を促すメールを送信し、ユーザの携帯電話機１１から選択指示を受け付けるようにしてもよい。
【００７８】
また、提案情報生成部２１６は、操作履歴が取得された時間に基づいて、「朝」「昼」「夕」「深夜」等の時間帯情報を生成して検索キー情報２２５に付加し、検索部２１２ａは、図２に示すステップＳ７〜Ｓ１５と同様の処理により、時間帯情報に応じて提案情報を検索するようにしてもよい。
【００７９】
また、住宅用制御監視装置２は、予め、外出、在宅、就寝等の生活シーンに適した制御内容を備えた複数のモード、例えば外出モード、在宅モード、就寝モード等を備え、ユーザに「外出モードを選択しますか？」といったモード選択を促すメッセージを提示するようにしてもよい。
【図面の簡単な説明】
【００８０】
【図１】本発明の第１の実施形態に係る住宅用制御監視システム及び住宅用制御監視装置の構成の一例を示すブロック図である。
【図２】図１に示す住宅用制御監視装置の動作の一例を示すフローチャートである。
【図３】図１に示す住宅用制御監視装置の動作の一例を示すフローチャートである。
【図４】（ａ）は機器状態情報の一例を示す説明図であり、（ｂ）は一括管理情報の一例を示す説明図である。
【図５】提案情報テーブルの一例を示す説明図である。
【図６】タッチパネルで表示される提案情報の選択画面の一例を示す画面図である。
【図７】携帯電話機に表示される選択画面の一例を示す画面図である。
【図８】本発明の第２の実施形態に係る住宅用制御監視装置及びこれを用いた住宅用制御監視システムの構成の一例を示すブロック図である。
【図９】図８に示す住宅用制御監視装置の動作の一例を示すフローチャートである。
【図１０】図８に示す住宅用制御監視装置の動作の一例を示すフローチャートである。
【図１１】図８に示す住宅用制御監視装置の動作の一例を示すフローチャートである。
【図１２】提案情報テーブルの一例を示す表形式の説明図である。
【図１３】タッチパネルで表示される提案情報の選択画面の一例を示す画面図である。
【符号の説明】
【００８１】
１，１ａ  住宅用制御監視システム
２，２ａ  住宅用制御監視装置
９    通信線
１０  インターネット
１１  携帯電話機
２１，２１ａ  演算処理部
２２  記憶部
２３  タッチパネル
２５  機器通信部
２６  外部通信部
３１〜３６  照明
４１〜４５  電気錠
５１〜５４  エアコン
６１〜６３  採光窓
７１，７２  シャッター
８１  人感センサ
２１１  監視部
２１２，２１２ａ  検索部
２１３，２１３ａ  提案部
２１４  機器制御部
２１５  Ｗｅｂサーバ部
２１６  提案情報生成部
２２１  機器状態情報
２２２，２２２ａ  提案情報テーブル
２２５  検索キー情報
２２７  メッセージ情報
２２８  制御内容
２２９  順序番号
２３０  履歴カウンタ値
２３６  無効ボタン
【図１】
2006352805.tif 000003
【図２】
2006352805.tif 000004
【図３】
2006352805.tif 000005
【図４】
2006352805.tif 000006
【図５】
2006352805.tif 000007
【図６】
2006352805.tif 000008
【図７】
2006352805.tif 000009
【図８】
2006352805.tif 000010
【図９】
2006352805.tif 000011
【図１０】
2006352805.tif 000012
【図１１】
2006352805.tif 000013
【図１２】
2006352805.tif 000014
【図１３】
2006352805.tif 000015